(57)【特許請求の範囲】
【請求項１】
居住スペースに、
空調設備により冷房及び暖房が実施される第１空間部と、
前記第１空間部と隣接し、該第１空間部と仕切り壁部によって区画された第２空間部と、を備え、
前記仕切り壁部には、前記第１空間部の冷熱及び温熱を前記第２空間部に伝導する熱伝導手段が設けられており、
前記第２空間部は、前記第１空間部と横並びで隣接して複数設けられ、
前記第１空間部は、前記各第２空間部をユーザが行き来する際に通過する通過空間であって、前記各第２空間部に囲まれて配置されており、
前記熱伝導手段は、前記第１空間部の冷気及び暖気を前記第２空間部に送気するファン装置であり、
そのファン装置は、前記仕切り壁部に設けられており、
前記ファン装置として、前記仕切り壁部において上部となる位置に設けられる上側ファン装置と、前記仕切り壁部において下部となる位置に設けられる下側ファン装置とを備え、
前記第２空間部への冷気供給時に、前記上側ファン装置により前記第１空間部から前記第２空間部に冷気を送気して冷熱を伝導する一方、前記第２空間部への暖気供給時に、前記下側ファン装置により前記第１空間部から前記第２空間部に暖気を送気して温熱を伝導することを特徴とする建物。
【請求項２】
前記仕切り壁部において下地材同士の間には断熱材が設けられている請求項１に記載の建物。
【請求項３】
前記第１空間部の温度を検出する第１温度検出手段と、
前記第２空間部の温度を検出する第２温度検出手段と、
前記ファン装置の駆動を制御するファン制御手段と、
を備え、
前記ファン制御手段は、前記第１空間部と前記第２空間部との間で温度差が所定値以上となった場合に前記ファン装置を駆動させる請求項１又は２に記載の建物。
【発明の詳細な説明】
【技術分野】
【０００１】
本発明は、空調設備を備えた建物に関する。
【背景技術】
【０００２】
一般に、建物には、その居住スペースでの快適な環境を維持するため、空調設備が設けられている。そして、このように空調設備が設けられる場合、居住スペースにおける居室等の各空間部に、空調装置が個別に設けられるのが一般的である。
【０００３】
しかしながら、その場合、空調装置が設けられた空間部とそうでない空間部との間で温度差が大きくなってしまうため、居住スペース全体が快適な環境となるわけではない。
【０００４】
そこで、従来から、集中空調ユニットを設置して、居住スペースの各居室等を空調する全館空調システムが提案されている（例えば、特許文献１参照）。その従来技術では、空調対象となる居室等が集中空調ユニットと通気ダクトでつながれ、その通気ダクトを通じて各居室等に冷気又は暖気が送られるようになっている。そして、冷気又は暖気が送り込まれることにより冷熱又は温熱が伝えられ、それによって各居室等は冷暖房される。
【特許文献１】特開平６−２２９５８７号公報
【発明の開示】
【発明が解決しようとする課題】
【０００５】
ところで、上記従来技術のように、空調対象となるすべての居室等に通気ダクトを通じて空調空気が送られるダクト式の全館空調システムの場合、天井裏空間、床下空間、下階の天井とその直上階の床との間の階間又は壁部等の各種空間に通気ダクトが配置される。
【０００６】
しかしながら、空調対象となるすべての居室等を通気ダクトでつなぐ構成では、上下階に隣接する居室等の間や、横並びで隣接する居室等の間にまたがる長さの通気ダクトが必要となる。このように比較的長い通気ダクトを設置する場合、建物の構造上の理由等により、前述した既存の空間を利用するだけでは通気ダクトを配置できない場合もある。
【０００７】
そこで、通気ダクトを設置するスペースを確保するために、天井の一部を低くして下がり天井としたり、床面高さを高くしたり、また壁部の横断面を大きくしたりしなければならなくなる。しかし、そうすると、居室を狭くする方向へ天井、床又は壁部が張り出すことになり、その分、居室等が狭くなってしまう。
【０００８】
本発明は、このような課題に鑑み、空調対象となる空間部間にまたがる通気ダクトを不要にして、全館空調を実現できる建物を得ることを主たる目的とする。
【課題を解決するための手段】
【０００９】
本発明は、上記課題を解決するために、以下の手段を採用した。
【００１０】
すなわち、第１の発明では、居住スペースに、空調設備により冷房又は暖房される第１空間部と、前記第１空間部と隣接し、該第１空間部と仕切り部によって区画された第２空間部と、を備え、前記仕切り部に、前記第１空間部の冷熱又は温熱を前記第２空間部に伝導する熱伝導手段を設けた。
【００１１】
この第１の発明によれば、第１空間部が空調設備により冷房又は暖房されるとともに、仕切り部に設けられた熱伝導手段により、第１空間部の冷熱又は温熱が第２空間部に伝導され、その熱伝導によって第２空間部が冷房又は暖房される。このため、全館空調の対象となる空間部を第１空間部と第２空間部とで構成すれば、全館空調を実現できる。
【００１２】
そして、このような熱伝導により第２空間部が冷房又は暖房される以上、その第２空間部と空調設備の一部である空調装置とをつなぐ通気ダクトは不要となる。また、空調装置が第１空間部内、第１空間部の天井裏空間又はその床下空間に設けられれば、空間部間にまたがる通気ダクトによって空調空気を第１空間部に送る必要もない。したがって、空間部間にまたがる通気ダクトが不要となる。これにより、そのような通気ダクトの設置スペースを確保するために空間部を狭くしなくても、全館空調を実現できる。
【００１３】
ここで、建物ユニットが複数連結されてなるユニット式建物では、各建物ユニットの梁に設けられた梁貫通孔を利用して、同一階の建物ユニット間にまたがる通気ダクトが設置される。そして、その梁貫通孔の径（通常、１００φ）は全館空調用として一般的に用いられる通気ダクトの外径（２５０ｍｍ）よりも小さい。このため、建物ユニット同士の連結部位ごとでダクト径が変化し、そのダクト径の変化が圧力損失をもたらしてしまうという問題がある。また、その圧力損失を避けるため、梁を回避するように通気ダクトを設置するのであれば下がり天井とならざるを得ず、前述の課題で指摘したように空間部が狭くなってしまう。
【００１４】
そこで、第１の発明によって空間部間にまたがる通気ダクトが不要となれば、圧力損失を考慮する必要がなくなるし、空間部を狭くしてしまうこともなく、全館空調を実現できる。したがって、この第１の発明はユニット式建物である場合に特に有効な手段となる。
【００１５】
第２の発明では、前記第２空間部は複数設けられており、前記第１空間部は、それら各第２空間部をユーザが行き来する際に通過する通過空間である。
【００１６】
この第２の発明によれば、通過空間が空調設備によって冷房又は暖房されていることにより、第２空間部間を移動する際に生じるヒートショックやコールドショックを緩和することができる。また、複数の空間部を有する一般的な住宅において、通過空間は多くの空間部と隣接して設けられていることから、この通過空間を第１空間部とすることにより、全館空調の領域を広げることができる。
【００１７】
なお、第２空間部は洋室、和室、リビング、ダイニング、キッチン等の居室空間であることが好ましい。
【００１８】
第３の発明では、前記第２空間部は前記第１空間部と横並びで隣接して複数設けられており、前記第１空間部は、それら各第２空間部に囲まれて配置されている。
【００１９】
この第３の発明によれば、平面視における第１空間部の周囲には第２空間部が配置されるため、第１空間部に対する外気の影響が抑制される。第１空間部は空調設備によって冷房又は暖房される空間部であるから、外気の影響が抑制されることにより、空調設備による冷房又は暖房の効率化を図ることができる。なお、外気の影響を抑制する上では、第１空間部の周囲全域が第２空間部によって囲まれることがより好ましい。
【００２０】
第４の発明では、前記熱伝導手段は、前記第１空間部の冷気又は暖気を前記第２空間部に送気するファン装置である。
【００２１】
この第４の発明によれば、冷房又は暖房された第１空間部の冷気又は暖気がファン装置によって第２空間部に送られることにより、第２空間部が冷房又は暖房される。ファン装置は、建物の換気等のために用いられる一般的な装置であるから、全館空調システムの設置コストを低減できる。
【００２２】
第５の発明では、前記第１空間部の温度を検出する第１温度検出手段と、前記第２空間部の温度を検出する第２温度検出手段と、前記ファン装置の駆動を制御するファン制御手段と、を備え、前記ファン制御手段は、前記第１空間部と前記第２空間部との間で温度差が所定値以上となった場合又は所定値を超えた場合に前記ファン装置を駆動させる。
【００２３】
この第５の発明によれば、第１空間部と第２空間部との間で温度差が所定値以上となった場合又は所定値を超えた場合、自動的にファン装置が駆動されて第２空間部に冷気又は暖気が送られる。これにより、第２空間部の冷房又は暖房が自動化され、建物利用者の利便性を高めることができる。
【００２４】
第６の発明では、前記熱伝導手段は、一対の下地材同士の間に熱伝導部材を備えた前記仕切り部である。
【００２５】
この第６の発明によれば、仕切り部が熱伝導部材を備えていることにより、仕切り部自身の熱伝導性が高められる。そして、第１空間部の冷熱又は温熱はそのような仕切り部を通じて第２空間部に伝導し、それにより第２空間部が冷房又は暖房される。このため、熱伝導させるために第２空間部から第１空間部へ通じる扉体を開けるといった操作が不要となる。また、ファン装置のような動力部を有する熱伝導手段を設けた場合と異なり、第１空間部及び第２空間部内の静粛性を高めることができる。
【００２６】
第７の発明では、前記両下地材には、該下地材同士の間の内部空間に通ずる通気孔が上下両部に形成されている。
【００２７】
この第７の発明によれば、仕切り部の第１空間部側及び第２空間部側において、自然対流により生じる空気流は、上下の通気孔を通じて下地材同士の間の内部空間を通過する。その通過の際、内部空間に設けられた熱伝導部材と接触するため、熱伝導部材によって熱交換がなされる。これにより、仕切り部を通じた熱伝導を促進させることができる。
【００２８】
第８の発明では、前記通気孔に設けられ、該通気孔を開閉する開閉装置と、前記第１空間部の温度を検出する第１温度検出手段と、前記第２空間部の温度を検出する第２温度検出手段と、前記開閉装置の開閉動作を制御する開閉制御手段と、を備え、前記開閉制御手段は、前記第１空間部と前記第２空間部との間で温度差が所定値以上となった場合又は所定値を超えた場合に、前記開閉装置を開動作させる。
【００２９】
この第８の発明によれば、通常は仕切り部を通じた熱伝導により第２空間部が空調されるが、第１空間部との間で温度差が所定値以上となった場合又は所定値を超えた場合、開閉装置が駆動されて通気孔が開放状態となり、熱伝導が促進される。これにより、第１空間部との温度差に基づいて、第２空間部の冷房又は暖房が好適に制御される。
【発明を実施するための最良の形態】
【００３０】
以下、本発明の一実施の形態を図面を参照しつつ説明する。この実施の形態では、建物ユニットが複数連結されてなるユニット式の一階建て住宅を建物の一例としている。
【００３１】
最初に、その一階建て住宅の構成を図１に基づいて説明する。なお、図１は一階建て住宅の間取り例を示す平面図である。
【００３２】
図１に示すように、住宅１０は、外壁部２１によって屋内外が区画されている。外壁部２１は躯体の一部をなす柱材、下地材及び仕上げ材等によって周知の如く構成されている。下地材同士の間には断熱材が設けられており、外壁部２１はその断熱性が高められている。このため、住宅１０はいわゆる高断熱住宅である。
【００３３】
住宅１０の屋内には、住人の生活空間である居住スペースと、床下や天井裏等の非居住スペースとが設けられている。居住スペースには、玄関１１、廊下１２、洋室１３、リビング１４、ダイニング・キッチン１５、トイレ１６、納戸１７、洗面室１８及び浴室１９の各空間部が設けられている。これら各空間部うち、玄関１１と廊下１２との間は区画されておらず、連続した一体空間として形成されている。この玄関１１及び廊下１２からなる一体空間は、ユーザ（住人）が住宅１０へ出入りする際、及び各空間部間を移動する際に通過する通過空間２３であり、浴室１９を除く他の空間部すべてに横並びで隣接している。また、リビング１４及びダイニング・キッチン１５との間も区画されておらず、連続した一体空間（ＬＤＫ空間）２４として形成されている。
【００３４】
通過空間２３、ＬＤＫ空間２４、洋室１３、トイレ１６、納戸１７、洗面室１８及び浴室１９は、仕切り部としての内壁部２２によって互いに区画されている。内壁部２２は躯体の一部をなす柱材、下地材及び仕上げ材等によって周知の如く構成されている。また、下地材同士の間には断熱材が設けられており、内壁部２２の断熱性が高められている。
【００３５】
次に、住宅１０において全館空調を行うための構成を、図１に基づいて説明する。なお、この実施の形態における空調（空気調和）とは、冷暖房による室温調節を意味するものとする。
【００３６】
住宅１０には空調設備が設けられており、空調設備はエアコン等の空調装置３１、室外機（図示略）、両者をつなぐ配管（図示略）等を備えている。空調装置３１は、少なくとも冷房及び暖房機能を有する室内機であり、廊下１２に設けられている。このため、玄関１１及び廊下１２からなる通過空間２３は、この空調装置３１によって冷暖房される。本実施の形態では、この通過空間２３が第１空間部となっている。
【００３７】
一方、洋室１３、リビング１４、ダイニング・キッチン１５、トイレ１６、納戸１７及び洗面室１８はそれぞれ室温調節の対象となる個別空間であるが、通過空間２３とは異なり、空調装置３１が設けられていない。このため、本実施の形態の住宅１０では、廊下１２に設けられた空調装置３１によって全館の空調が賄われることになる。前述したように、この住宅１０は高断熱住宅であり、空調負担が比較的小さくなっていることから、一つの空調装置３１によって全館空調を賄うことが可能となっている。
【００３８】
空調設備の室外機は、住宅１０の屋外に配置されている。その室外機と空調装置３１とをつなぐ配管は、内壁部２２の内部や建物ユニットの梁貫通孔等を利用して隠蔽配管としたり、収納スペース内に設けて居室から隠したりする等して設置されている。
【００３９】
なお、今後、洋室１３、リビング１４、ダイニング・キッチン１５、トイレ１６、納戸１７及び洗面室１８をそれぞれ区別して説明する必要がない場合、これらを個別空間という。本実施の形態では、これら各個別空間１３〜１８が第２空間部となっている。
【００４０】
通過空間２３と各個別空間１３〜１８とを区画する内壁部２２ａ〜２２ｆには、各個別空間１３〜１８に対応する熱伝導手段としてのファン装置Ｆ１〜Ｆ６がそれぞれ設けられている。このうち、通過空間２３とトイレ１６又は納戸１７とを区画する内壁部２２ｄ，２２ｅは、トイレ１６又は納戸１７の出入り口の上方に設けられている。このため、図１ではその内壁部２２ｄ，２２ｅ及びファン装置Ｆ４，Ｆ５が点線で図示されている。各ファン装置Ｆ１〜Ｆ６は、２０〜２００ｍ３／ｈ程度の風量を有する装置であり、各個別空間１３〜１８の広さに合わせて最適な風量のファン装置Ｆが選択されて設置されている。なお、風量が可変となる装置を用いることも可能である。そして、これら各ファン装置Ｆ１〜Ｆ６により、通過空間２３で冷暖房された状態の空気が冷気又は暖気となって各個別空間１３〜１８へ送気される。
【００４１】
次に、前記空調装置３１及び各ファン装置Ｆ１〜Ｆ６の駆動を自動制御して全館空調を行う制御システムを、図２に基づいて説明する。なお、図２は本制御システムを概略的に示す、住宅の縦断面図である。
【００４２】
図２に示すように、本制御システムは制御装置４１を備えている。制御装置４１は、例えば通過空間２３の内壁面に設置された操作装置４２や空調装置３１と一体的に設けられている。操作装置４２にはシステムのオン・オフを操作する開始スイッチや、室温を設定する設定スイッチ等が設けられており、その各種スイッチの操作に基づいて制御装置４１は空調装置３１の制御及び各ファン装置Ｆ１〜Ｆ６の個別制御を実施する。本実施の形態では制御装置４１によってファン制御手段が構成されている。
【００４３】
制御装置４１には、通過空間２３に設けられた第１温度検出手段としての第１室温センサ４３が接続されている。開始スイッチがオン操作されると、第１室温センサ４３により検出された通過空間２３の室温情報が制御装置４１に随時入力される。制御装置４１は第１室温センサ４３からの室温情報に基づき、通過空間２３の室温が設定スイッチによって設定された温度と一致するように、空調装置３１を制御する。なお、第１室温センサ４３は空調装置３１と一体的に設けられてもよい。
【００４４】
また、制御装置４１には第２温度検出手段としての第２室温センサ４４も接続されている。第２室温センサ４４は、各個別空間１３〜１８に設けられている。開始スイッチがオン操作されると、各第２室温センサ４４により検出された各個別空間１３〜１８の室温情報が制御装置４１に随時入力される。そして、通過空間２３との間で所定値（例えば、３℃）以上の室温差又は所定値を超える室温差が生じた個別空間１３〜１８について、制御装置４１は対応するファン装置Ｆを駆動させる。一方、通過空間２３との室温差が所定値より小さい又は所定値以下の個別空間１３〜１８について、制御装置４１は、対応するファン装置Ｆが駆動状態にあればその駆動を停止させ、非駆動状態にあればそのまま非駆動状態を維持させる。
【００４５】
次に、以上のように構成された住宅１０において、全館空調を行う場合の作用を説明する。
【００４６】
操作装置４２の開始スイッチが操作されると、制御装置４１は、通過空間２３の室温が設定温度と一致するように空調装置３１を制御する。この空調装置３１による冷暖房により、通過空間２３の室温は設定温度に保たれる。
【００４７】
また、前記開始スイッチが操作されると、制御装置４１には各個別空間１３〜１８の室温情報が随時入力される。各個別空間１３〜１８の室温は、該空間１３〜１８内における熱源（人やペット、厨房機器やＡＶ機器等の各種機器）によって個別に変動する。その室温変動により、通過空間２３との間で所定値以上の室温差又は所定値を超える室温差が生じると、制御装置４１はその室温差が生じた個別空間１３〜１８に対応するファン装置Ｆを駆動させる。これにより、設定温度に保たれた通過空間２３の空気が、冷気又は暖気となって該当する個別空間１３〜１８に送気され、当該個別空間１３〜１８に熱（冷熱又は温熱）が伝導する。
【００４８】
そして、設定温度に保たれた空気が送り込まれることにより、該当する個別空間１３〜１８と通過空間２３との間の室温差が所定値より小さくなるか又は所定値以下となると、制御装置４１はファン装置Ｆの駆動を停止させる。
【００４９】
各個別空間１３〜１８において、このようなファン装置Ｆの駆動と停止が室温に応じて繰り返されることにより、各個別空間１３〜１８の室温は、通過空間２３との室温と所定値よりも小さくなるように又は所定値以内に調節される。その結果、居住スペースの、通過空間２３と各個別空間１３〜１８とを合わせた領域全体が空調され、全館空調を実現できる。
【００５０】
以上により、本実施の形態によれば、以下に示す有利な効果が得られる。
【００５１】
空調装置３１により冷暖房されて設定温度に保たれた通過空間２３の空気が、ファン装置Ｆ１〜Ｆ６により、冷気又は暖気となって各個別空間１３〜１８に送気される。これにより、通過空間２３の冷熱又は温熱が各個別空間１３〜１８に伝導され、その熱伝導によって各個別空間１３〜１８は室温調節される。こうして居住スペースのほぼ全域が室温調節されることとなり、全館空調を実現できる。
【００５２】
そして、ファン装置Ｆ１〜Ｆ６を用いた熱伝導により各個別空間１３〜１８が冷暖房されるため、空調装置３１と各個別空間１３〜１８とをつなぐ通気ダクトは不要となる。また、空調装置３１は同空調装置３１によって空調される通過空間２３内に設けられているため、空間部間にまたがる通気ダクトによって空調空気を通過空間２３に送る必要もない。したがって、空間部間にまたがる通気ダクトが不要となる。このような通気ダクトに関するダクトレスの実現により、その設置スペースを確保するために通過空間２３や各個別空間１３〜１８を狭くすることなく、全館空調を実現できる。
【００５３】
また、住宅１０はユニット式建物であるが、ダクトレスの実現により、ダクト径の変化による圧力損失を考慮する必要がなくなる。さらに、住宅１０には、通気ダクトを設置するための特別な設計や専用の造作等は不要となり、しかも、ファン装置Ｆ１〜Ｆ６は、建物の換気等のために用いられる一般的な装置であるから、設置コストを低減できる。
【００５４】
本実施の形態では、各個別空間１３〜１８を行き来する際に通過する通過空間２３が、空調装置３１によって空調されている。これにより、ユーザが他の個別空間１３〜１８へ移動する場合に生じるヒートショックやコールドショックを緩和することができる。また、通過空間２３は玄関１１及び廊下１２によって形成される空間部であり、多くの個別空間１３〜１８と隣接している。このため、空調装置３１によって空調される第１空間部を通過空間２３とすることにより、全館空調の領域を広げることができる。
【００５５】
本実施の形態では、制御装置４１により、通過空間２３との室温差が所定値以上となった又は所定値を超えた個別空間１３〜１８について、ファン装置Ｆが自動的に駆動されて当該個別空間１３〜１８が空調される。これにより、全館空調を自動化して建物利用者の利便性を高めることができる。
【００５６】
なお、以上説明した実施の形態は説明した内容に限定されるものではなく、例えば以下に別例として示した形態で実施することもできる。
【００５７】
上記実施の形態では、通過空間２３を第１空間部としたが、洋室１３やリビング１４等、その他の空間部を第１空間部としてもよい。また、二階建て住宅等において、通過空間２３とリビング１４等とが吹き抜けの一体空間とされる場合もあり、その場合はかかる一体空間を第１空間部としてもよい。これらの場合、第１空間部とした部屋と横並び又は上下に隣接し、内壁部２２や上下階の境界部等の仕切り部によって区画された部屋が第２空間部となる。
【００５８】
さらに、例えば、スキップ床等によって上下に区画された空間部を第１空間部とし、それと横並びで隣接する部屋を第２空間部としてもよい。この場合、上空間部を冷房用空間とし、下空間部を暖房用空間部とし、洋室１３等の第２空間部へ冷気を上部から、暖気を下部から送気するように構成すれば、自然対流を生じさせることができる。
【００５９】
上記実施の形態では、熱伝導手段としてファン装置Ｆ１〜Ｆ６を用いて、設定温度に保たれた空気を各個別空間１３〜１８に送気し、それにより各個別空間１３〜１８に熱伝導するようにしたが、内壁部２２に設けられた扉体用の開口部や欄間であってもよい。また、扉体に設けられた換気用ガラリや、扉体の下部をカットしたアンダーカットでもよい。
【００６０】
また、熱伝導手段は、内壁部２２それ自身であってもよい。この場合でも、その内壁部２２にファン装置Ｆを設置してもよい。内壁部２２自身を熱伝導手段とする場合、内壁部２２は次のように構成することが好ましい。その構成例を図３に基づいて説明する。なお、図３は内壁部の一部を示す斜視図である。各内壁部２２ａ〜２２ｆはいずれも同様の構成を備えており、図３には、通過空間２３とリビング１４との間を区画する内壁部２２ｂが代表例として図示されている。
【００６１】
図３に示すように、内壁部２２ｂは躯体の一部である柱材５１と、柱材５１を挟むようにして設けられた一対の壁ボード５２とを備えている。各壁ボード５２はそれぞれ下地材と仕上げ材とで構成されている。両壁ボード５２間の内部空間５３には、熱伝導部材５４が設けられている。熱伝導部材５４はアルミ、銅等の熱伝導性の高い材質からなり、表面積を増大させるために横断面が波型に形成されている。
【００６２】
そして、壁ボード５２同士の間に熱伝導部材５４が設けられていることにより、内壁部２２ｂそれ自身の熱伝導性が高められている。このため、空調装置３１によって設定温度に保たれた通過空間２３の熱（冷熱又は温熱）が内壁部２２ｂを介してリビング１４へ伝わり、リビング１４は通過空間２３の室温に近い室温に調節される。
【００６３】
また、上記構成において、図３に示すように、内部空間５３に通ずる通気孔としてのスリット５５が各壁ボード５２の上下両部に設けられた構成としてもよい。この構成によれば、次のような作用効果が得られる。
【００６４】
例えば、冬期に、空調装置３１によって通過空間２３が暖房されている場合、通過空間２３側では、自然対流によって空気は上昇する方向へ流れる。このため、下部のスリット５５から内部空間５３に入った空気が、上部のスリット５５から抜けるような空気流が生じる。一方、空調装置３１が設けられておらず非暖房状態のリビング１４側では、外気の影響によって通過空間２３に比べて冷やされているため、自然対流によって空気は下降する方向へ流れる。このため、上部のスリット５５から内部空間５３に入った空気が、下部のスリット５５から抜けるような空気流が生じる。
【００６５】
この通過空間２３側で生じる空気流とリビング１４側で生じる空気流とは、いずれも内部空間５３を通過する際に熱伝導部材５４と接触するため、この熱伝導部材５４を通じて熱交換がなされる。これにより、リビング１４側で生じる空気流が暖められ、熱伝導を促進させることができる。
【００６６】
さらに、スリット５５を設けた構成では、スリット５５を開閉する開閉装置を設け、制御装置４１によりその開閉を制御するようにしてもよい。これにより、室温差が所定値以上となった場合又は所定値を超えた場合に、制御装置４１はスリット５５を開放させて熱伝導を促進させるという制御が可能となる。この場合、制御装置４１は開閉制御手段も兼ねる。
【００６７】
上記実施の形態では、通過空間２３に玄関１１も含まれるため、通過空間２３の一部は外壁部２１を介して外気に面しているが、図４に示す建物６１のように、平面視における通過空間６２の周囲がすべて個別空間６３によって囲まれるようにしてもよい。この場合、通過空間６２は、平面視における建物６１の中心部に配置され、その周囲はすべて内壁部２２によって囲まれることになる。高断熱化された外壁部２１を有しているとはいえ、通過空間２３，６２に対する外気の影響をできるだけ抑制することは、空調装置３１による冷暖房の効率化を図る上で好ましい。このような観点からすれば、周囲がすべて個別空間６３によって囲まれた通過空間６２は、外壁部２１を通じた外気の影響を抑制できる点で好適な構成である。
【００６８】
上記実施の形態では、各内壁部２２ａ〜２２ｆにそれぞれ設けられるファン装置Ｆ１〜Ｆ６の数について言及していないが、それぞれ複数のファン装置Ｆが設けられた構成としてもよい。例えば、二つのファン装置Ｆが設けられた場合、図５にその概略を示すように、両ファン装置Ｆがそれぞれ上下両部に一つずつ設けられた構成とすることが例として考えられる。なお、図５では個別空間の代表例としてリビング１４が図示されている。
【００６９】
この場合、夏期において、上部のファン装置Ｆ１により通過空間２３からリビング１４へ冷気を送気して冷熱を伝導すると、リビング１４では自然対流による空気流を生じさせることができる。一方、冬期において、下部のファン装置Ｆ１により通過空間２３からリビング１４へ暖気を送気して温熱を伝導すると、リビング１４では温熱が滞留することなく自然対流によって空気流を生じさせることができる。これにより、上下で温度差を生じさせることなく、リビング１４全体の室温を均一化できる。
【００７０】
上記実施の形態では、室温調節に関する空調だけに限定して説明したが、湿度、空気清浄度等を適宜組み合わせた空調がなされるようにしてもよい。
【００７１】
上記実施の形態では、制御装置４１は室温差に基づいてファン装置Ｆの駆動を制御しているが、比エンタルピー差に基づいて制御するようにしてもよい。この場合、比エンタルピーは室温及び湿度から算出される。そして、通過空間２３と各個別空間１３〜１８との間の比エンタルピー差が所定値（例えば、２．０ｋＪ／ｋｇ）以上となった場合又は所定値を超えた場合に、ファン装置Ｆを駆動させることにより、室温だけでなく湿度に関する空調を行うこともできる。
【００７２】
上記実施の形態では、各個別空間１３〜１８がその在室状況にかかわらず室温調節されているが、人が在室する個別空間１３〜１８だけが室温調節されるようにしてもよい。人が在室していない個別空間１３〜１８は、室温調節によって快適性を保つ必要性が低いため、人が在室する個別空間だけが室温調節されるようにすれば、エネルギーの消費を抑制できる。
【００７３】
これを実現させる一つの構成例として、各個別空間１３〜１８に人感センサを設け、制御装置４１は、その人感センサからの人検出情報に基づいて人の在室状況を把握する構成が考えられる。また、別の構成例として、住人ごとに所持される携帯型通信装置から無線送信される住人の識別情報を制御装置４１が受信することで、制御装置４１が人の在室状況を把握する構成も考えられる。
【００７４】
後者の例においては、住人の識別情報と対応付けて、室温等に関する住人ごとの嗜好情報を携帯型通信装置に記憶させ、制御装置４１は受信した住人固有の嗜好情報に基づいてファン装置Ｆの駆動を制御するようにしてもよい。これにより、住人が在室する個別空間１３〜１８について、当該住人の嗜好に合った空調を行うことができる。
【００７５】
また、前述した後者の例においては、各個別空間１３〜１８における住人ごとの一日の在室状況を、制御装置４１が有する記憶装置に随時記録し、その記録に基づいて住人ごとの在室スケジュールを作成してもよい。そして、制御装置４１により、この在室スケジュールに基づいて住人の入室に先立ってファン装置Ｆの駆動制御を開始させるようにすれば、各個別空間１３〜１８は住人が入室する前に予め空調された状態となるため、快適性と利便性を高めることができる。
【００７６】
上記実施の形態では、制御装置４１は室温差が予め設定された所定値以上となった場合又は所定値を超えた場合にファン装置Ｆを自動的に駆動させているが、それとともに又はそれに代えてファン装置Ｆの駆動が手動制御されるようにしてもよい。この場合、各個別空間１３〜１８の内壁面に手動操作用の開始スイッチや停止スイッチを備えた操作装置を設置し、それら各種スイッチの操作に基づいて、制御装置４１はファン装置Ｆの駆動を制御する。これにより、住人は自己の嗜好に基づいた空調を行うことができる。
【００７７】
上記実施の形態では、リビング１４及びダイニング・キッチン１５のそれぞれに対応するファン装置Ｆ２，Ｆ３が設けられているが、両スペースのような一体空間については、その一体空間に対して一つのファン装置Ｆが設けられるようにしてもよい。そして、ＬＤＫ空間２４のような大空間を一つのファン装置Ｆで賄うような場合は、より大きな風量の装置を用いることも可能である。
【００７８】
上記実施の形態では、建物としてユニット式の一階建て住宅１０を例として説明したが、住宅以外の建物でも、複数階建て建物でも、軸組工法やツーバイフォー工法等の他の工法で建てられた建物でもよい。そして、例えば図６に示す二階建て住宅７１のように、第１空間部としての通過空間７２が一階部分から二階部分へ突き抜ける吹き抜けや、階段スペース等により上下階の各通過空間が連通した空間となっている場合、シーリングファン（天井扇）７４が設けられた構成とするのが好ましい。これにより、通過空間７２における上下階の温度差が緩和されるため、各個別空間７３に対して均等に熱伝導させることができる。
【００７９】
また、複数階立て建物とした場合、暖房時には下階へいくほど多くの暖気が導入され、冷房時には上階へいくほど多くの冷気が導入されるように、各ファン装置Ｆ１〜Ｆ６の駆動を制御するようにしてもよい。自然対流によって暖気が上昇し、冷気は下降するため、個別空間は下階へいくほど冷やされ、上階へいくほど温められているからである。
【図面の簡単な説明】
【００８０】
【図１】一階建て住宅の間取り例を示す平面図。
【図２】ファン装置の制御システムを概略的に示す、住宅の縦断面図。
【図３】内壁部の一部を示す斜視図。
【図４】一階建て住宅の他の間取り例を示す平面図。
【図５】内壁部に二つのファン装置が設けられた場合の構成例を示す概略図。
【図６】二階建て住宅を示す縦断面図。
【符号の説明】
【００８１】
１０…住宅、１３…洋室（第２空間部）、１４…リビング（第２空間部）、１５…ダイニング・キッチン（第２空間部）、１６…トイレ（第２空間部）、１７…納戸（第２空間部）、１８…洗面室（第２空間部）、２２…内壁部（仕切り部）、２３…通過空間（第１空間部）、３１…空調装置、４１…制御装置（ファン制御手段、開閉制御手段）、４３…第１室温センサ（第１温度検出手段、第１温度検出手段）、４４…第２室温センサ（第２温度検出手段、第２温度検出手段）、Ｆ…ファン装置（熱伝導手段）。
【図１】
0005027627.tif 000002
【図２】
0005027627.tif 000003
【図３】
0005027627.tif 000004
【図４】
0005027627.tif 000005
【図５】
0005027627.tif 000006
【図６】
0005027627.tif 000007